(57)【要約】【課題】間仕切り１に設けた開口部Ｓに、窓板４の端縁部が枠材よりも見込み方向内方側に位置する状態で支持するにあたり、窓板４を支持するため後付けとして設けられる第四支持部材１７が不用意に弛んだりして窓板４が振動したりしないようにする。【解決手段】窓板４の縦端縁部４ｂを先付けの第三支持部材１６と後付けの支持部材１７とを用いて支持するにあたり、第三支持部材１６に、窓板縦端縁部４ｂよりも突出した突出片部１６ｊを、窓板縦端縁部４ｂに対して間隙Ｗを有するようにして設け、該間隙Ｗに第四支持部材１７を嵌入組込みをするようにして、窓板４に対して見込み方向第四支持部材１７方向を向いた負荷が働いたとき、第四支持部材１７を突出片部１６ｊで受止め支持して弛んだりしないように構成する。【選択図】図７
2020094471.tif 000002
【特許請求の範囲】
【請求項１】
建物に設けられる開口部に板材を取付け支持するための支持構造であって、
前記板材は、縦横端縁部が開口部の内周縁部に設けた枠材の内周面部よりも開口部の内方側に位置するものであり、
該縦横端縁部部位の板面部を支持するため設けられる支持部材のうち、
板材の縦横何れか一方側の端縁部部位の板面部を支持するための支持部材は、
・板材の見込み方向一方側の板面部を支持するべく取付けられる第一支持部材と、
・板材の見込み方向他方側の板面部を支持するべく取付けられる第二支持部材とを備えたもので構成され、
板材の縦横他方側の端縁部部位の板面部を支持するための支持部材は、
・縦横他方側の端縁部よりも開口部内方側に突出した突出片部が見込み方向両側に設けられることで凹溝状部が形成され、板材の縦横他方側の端縁部部位のうち少なくとも見込み方向他方側の板面部が該側の突出片部に対して間隙を存する状態で前記凹溝状部に遊嵌する第三支持部材と、
・突出片部と板面部とのあいだの間隙に嵌入されることで、該板材の縦横他方側の端縁部部位の板面部を支持する第四支持部材とを備えたもので構成されていることを特徴とする板材の支持構造。
【請求項２】
凹溝状部は、板材の板面部の見込み方向一方側にも間隙を存する状態で該板材を遊嵌するものであり、第四支持部材は、該見込み方向一方側の間隙にも嵌入されて板材の支持をすることを特徴とする請求項１記載の板材の支持構造。
【請求項３】
第四支持部材には、第三支持部材に設けられた凹溝部に対して抜止め状に嵌入係止する係止脚片部が設けられていることを特徴とする請求項１または２記載の板材の支持構造。
【請求項４】
突出片部には、凹溝部よりも先端側部位において第四支持部材の抜止め係止するための係止手段が設けられていることを特徴とする請求項３記載の板材の支持構造。
【請求項５】
第一支持部材には、板材の支持位置を越える状態で見込み方向他方側にまで延出した延出部が設けられ、該延出部に第二支持部材が取付けられることを特徴とする請求項１乃至４の何れか１記載の板材の支持構造。
【請求項６】
縦横何れか一方側の枠材に、板材の支持位置を越えて見込み方向両側に至る第五支持部材が設けられ、該第五支持部材に第一、第二支持部材が取付けられることを特徴とする請求項１乃至４の何れか１記載の板材の支持構造。
【請求項７】
建物に設けられる開口部に板材を取付け支持するための支持方法であって、
前記支持される板材は、縦横端縁部が前記開口部の内周縁部に設けた枠材の内周面部よりも開口部の内方側に位置するよう設定されたものであり、
前記枠材に、板材の縦横何れか一方側の端縁部部位の見込み方向一方側の板面部を支持するための第一支持部材と、板材の縦横他方側の端縁部よりも開口部内方側に突出した突出片部が見込み方向両側に設けられることで該板材端縁部の少なくとも見込み方向他方側の板面部に対して間隙を存した遊嵌状態で嵌入可能な凹溝状部が形成された第三支持部材とを設けた後、
板材を、縦横一方側の端縁部部位の板面部を第一支持部材に対向させる状態で、縦横他方側の端縁部部位の板面部を相対向する凹溝状部に対して行って来いの往復移動させることで遊嵌し、
しかる後、板材の端縁部部位の見込み方向他方側の板面部のうち、縦横一方側の板面部については第二の支持部材を設けて支持し、縦横他方側の板面部については第四の支持部材を板面部と突出片部とのあいだの間隙に嵌入することで支持するようにしたことを特徴とする板材の支持方法。
【請求項８】
突出片部と板面部とのあいだの間隙が見込み方向一方側にもある場合、該間隙に第四支持部材を嵌入する工程は、板材を凹溝状部に遊嵌させる工程の前後に選択されることを特徴とする請求項７記載の板材の支持方法。
【発明の詳細な説明】
【技術分野】
【０００１】
本発明は、建物に設けられるドア（扉、戸）や間仕切り等の板状体に形成される開口部に窓板等の板材を取付け支持する際に採用される板材の支持構造および支持方法の技術分野に関するものである。
【背景技術】
【０００２】
一般に、建物に設けられるドアや間仕切り等の板状体のなかには、例えば採光のため窓用等の開口部を形成し、該開口部に、ガラス材やアクリル樹脂材等の各種の素材により形成された薄板状の板材（例えば窓板）を取付け支持するようにしたものが知られているが、このような板材を開口部に支持する場合、該板材を、開口部の見込み方向（開口部を正面視したときの前後方向）両側から支持部材で挟持状に支持することが一般的に行われている。
そしてこの場合に、板材の見込み方向一方側の板面部を支持する第一支持部材を先付け材として予め枠材に取付けた状態で、該板材の見込み方向他方側の板面部を、後付け材として無理嵌め状に取付けられる第二支持部材で当てがって支持するように構成したものが提唱されている（例えば特許文献１、２参照。）。
ところがこのものにおいて、例えば特許文献２の図９に示されるような板材の端縁部を枠材内にまで嵌入する状態で取付け支持する構成を、板材の縦横端縁部の取付け支持に採用した場合、板材を枠体内まで挿入した状態での取付け支持の作業が強いられることになって作業性が劣る等の問題がある。
【先行技術文献】
【特許文献】
【０００３】
【特許文献１】特開平１０−２９２７４１号公報
【特許文献２】特開２０１０−１０６５８６号公報
【発明の概要】
【発明が解決しようとする課題】
【０００４】
そこで板材の縦横全ての端縁部を、前記従来のものに記載されるように枠材の内周面部に対して開口部内方側に位置する状態で支持部材を介して支持する構造にすることが提唱されるが、この場合に、板材の縦横全ての端縁部の見込み方向一方側の板面部を、第一支持部材を先付け部材として取付けた状態で支持する一方、他方側の板面部を、後付け部材として取付けた第二支持部材を介して支持する構成にしたものでは、板材に対し、第一支持部材側から第二支持部材方向に向く負荷が働いた場合、第二支持部材を受止め支持するものがなく、この結果、第二支持部材が弛んだり外れたりするようなことが想定され、このようになった場合、板材が不用意に振動したり外れてしまったりする等の不具合発生が考えられ、これらに本発明の解決すべき課題がある。
【課題を解決するための手段】
【０００５】
本発明は、上記の如き実情に鑑みこれらの課題を解決することを目的として創作されたものであって、請求項１の発明は、建物に設けられる開口部に板材を取付け支持するための支持構造であって、前記板材は、縦横端縁部が開口部の内周縁部に設けた枠材の内周面部よりも開口部の内方側に位置するものであり、該縦横端縁部部位の板面部を支持するため設けられる支持部材のうち、板材の縦横何れか一方側の端縁部部位の板面部を支持するための支持部材は、板材の見込み方向一方側の板面部を支持するべく取付けられる第一支持部材と、板材の見込み方向他方側の板面部を支持するべく取付けられる第二支持部材とを備えたもので構成され、板材の縦横他方側の端縁部部位の板面部を支持するための支持部材は、縦横他方側の端縁部よりも開口部内方側に突出した突出片部が見込み方向両側に設けられることで凹溝状部が形成され、板材の縦横他方側の端縁部部位のうち少なくとも見込み方向他方側の板面部が該側の突出片部に対して間隙を存する状態で前記凹溝状部に遊嵌する第三支持部材と、突出片部と板面部とのあいだの間隙に嵌入されることで、該板材の縦横他方側の端縁部部位の板面部を支持する第四支持部材とを備えたもので構成されていることを特徴とする板材の支持構造である。
請求項２の発明は、凹溝状部は、板材の板面部の見込み方向一方側にも間隙を存する状態で該板材を遊嵌するものであり、第四支持部材は、該見込み方向一方側の間隙にも嵌入されて板材の支持をすることを特徴とする請求項１記載の板材の支持構造である。
請求項３の発明は、第四支持部材には、第三支持部材に設けられた凹溝部に対して抜止め状に嵌入係止する係止脚片部が設けられていることを特徴とする請求項１または２記載の板材の支持構造である。
請求項４の発明は、突出片部には、凹溝部よりも先端側部位において第四支持部材の抜止め係止するための係止手段が設けられていることを特徴とする請求項３記載の板材の支持構造である。
請求項５の発明は、第一支持部材には、板材の支持位置を越える状態で見込み方向他方側にまで延出した延出部が設けられ、該延出部に第二支持部材が取付けられることを特徴とする請求項１乃至４の何れか１記載の板材の支持構造である。
請求項６の発明は、縦横何れか一方側の枠材に、板材の支持位置を越えて見込み方向両側に至る第五支持部材が設けられ、該第五支持部材に第一、第二支持部材が取付けられることを特徴とする請求項１乃至４の何れか１記載の板材の支持構造である。
請求項７の発明は、建物に設けられる開口部に板材を取付け支持するための支持方法であって、前記支持される板材は、縦横端縁部が前記開口部の内周縁部に設けた枠材の内周面部よりも開口部の内方側に位置するよう設定されたものであり、前記枠材に、板材の縦横何れか一方側の端縁部部位の見込み方向一方側の板面部を支持するための第一支持部材と、板材の縦横他方側の端縁部よりも開口部内方側に突出した突出片部が見込み方向両側に設けられることで該板材端縁部の少なくとも見込み方向他方側の板面部に対して間隙を存した遊嵌状態で嵌入可能な凹溝状部が形成された第三支持部材とを設けた後、板材を、縦横一方側の端縁部部位の板面部を第一支持部材に対向させる状態で、縦横他方側の端縁部部位の板面部を相対向する凹溝状部に対して行って来いの往復移動させることで遊嵌し、しかる後、板材の端縁部部位の見込み方向他方側の板面部のうち、縦横一方側の板面部については第二の支持部材を設けて支持し、縦横他方側の板面部については第四の支持部材を板面部と突出片部とのあいだの間隙に嵌入することで支持するようにしたことを特徴とする板材の支持方法である。
請求項８の発明は、突出片部と板面部とのあいだの間隙が見込み方向一方側にもある場合、該間隙に第四支持部材を嵌入する工程は、板材を凹溝状部に遊嵌させる工程の前後に選択されることを特徴とする請求項７記載の板材の支持方法である。
【発明の効果】
【０００６】
請求項１または７の発明とすることにより、板材の縦横端縁部を、開口部の内周縁部に設けた枠材の内周面部よりも開口部の内方側に位置するようにして板材の取付け作業の効率化を図りながら、縦横端縁部の何れか一方の端縁部部位の板面部については第一、第二の支持部材により見込み方向両側から挟持状の支持をする一方で、縦横他方側の端縁部については、板材端縁部よりも開口部内方側に突出した突出片部が見込み方向両側に設けられる第三支持部材に対して、縦横他方側の端縁部部位の板面部を相対向する凹溝状部に対して行って来いの往復移動させることで遊嵌し、この遊嵌部位の間隙に第四支持部材を嵌入取り付けすることで支持することになる結果、板材は、第二、第四支持部材が緩んだり外れたとしても第三支持部材に設けられる見込み方向両側の突出片部による支持が、遊嵌状ではあるがなされることになって、板材が不用意に脱落してしまうことを回避できることになる。
請求項２または８の発明とすることにより、板材が見込み方向両側において遊嵌状に支持されるものであっても、確実な取付け支持ができることになる。
請求項３の発明とすることにより、第四支持部材の第三支持部材に対する取付けが簡単かつ確実にできることになる。
請求項４の発明とすることにより、第四支持部材に見込み方向の負荷が働いだ場合に、これを受けて第四支持部材の弛みや抜止めをするため設けた突出片部が、第四支持部材の見付け方向の抜止め部材として有効に利用できることになって部材の兼用化が図れることになる。
請求項５の発明とすることにより、第一支持部材が第二支持部材の取付け部材に兼用化されることになって部品点数が低減する。
請求項６の発明とすることにより、見込み方向、何れか一方が塞がれていたとしても、他方側から第一または第二支持部材の着脱ができることになってメンテナンス性が向上する。
【図面の簡単な説明】
【０００７】
【図１】間仕切りの正面図である。
【図２】間仕切りの縦断面図である。
【図３】間仕切りの他例を示す縦断面図である。
【図４】窓枠支持部位の拡大縦断面図である。
【図５】窓板支持部位の拡大分解縦断面図である。
【図６】間仕切りの支柱部位の横断面図である。
【図７】窓枠支持部位の拡大横断面図である。
【図８】窓枠支持部位の拡大分解横断面図である。
【図９】第二の実施の形態を示す窓枠支持部位の拡大横断面図である。
【図１０】第三の実施の形態を示す窓枠支持部位の拡大横断面図である。
【図１１】第四の実施の形態を示す間仕切りの縦断面図である。
【図１２】第四の実施の形態の窓板支持部位の拡大分解縦断面図である。
【発明を実施するための形態】
【０００８】
以下、本発明の実施の形態について、図面に基づいて説明する。図面において、１は建物に設けられる板状体の一例である間仕切りであって、室内空間を仕切るため設けられるものであるが、該間仕切り１は、天井面Ｈに設けられる天井レール２と、床面Ｆに設けられる床レール（巾木）１２とのあいだの空間部に組付けられるものである。そして本実施の形態の間仕切り１は、天井レール２と床レール１２とのあいだに縦方向を向く状態で左右方向に適間隔を存して設けられる複数の支柱（ポスト、縦木、縦桟）１３と、隣接する支柱１３間に設けられた上下複数の横木（横桟）５、６とにより仕切られた縦横複数の開口部Ｓが形成されたものとして構成されているが、これら横木５、６並びに支柱１３は、何れも開口部Ｓの四周枠を構成するための枠材となるものであり、本発明の「枠材」に相当している。
さらに本実施の形態では、前記横木５、６のうち、最下段の横木５は、図２に示す実施の形態のように、最下段の開口部Ｓに開口部Ｓに組込まれる肉厚のパネル体（腰板、腰壁）３の上端縁部に設けられるものであるため、「腰上」と称されることがある。
一方、残りの横木６については、図２に示す実施の形態においては、上下の開口部Ｓに組込まれた窓板４を支持するものであり、「無目」と称されることがある。
そして本実施の形態では、窓板４について、後述するように、上下の横端縁部４ａを第一、第二支持部材７、８を介して支持し、左右の縦端縁部４ｂを第三、第四支持部材１６、１７を介して支持したものについて説明するが、逆に、上下の横端縁部４ａを第三、第四支持部材１６、１７を介して支持し、左右の縦端縁部４ｂを第一、第二支持部材７、８を介して支持したものとしても本発明を実施することができる。
【０００９】
次に、窓板４の上下両横端縁部４ａを第一、第二支持部材７、８を介して横木５（以降「横枠材５」と称することにする。）に支持する構成についてまず説明するが、該横枠材５は、見込み方向（間仕切り１を正面視したときの前後方向）両端縁部に設けられる両脚片部５ａが前記パネル体３の前後表面３ａに外嵌する状態で組付けらているが、両脚片部５ａ同士を連結する状態で設けられる跨片部５ｂには、見込み方向中間部位（中央部位）が見付け方向外側に向けて凹み、開口部Ｓの内方側が開口した凹陥状の溝状部５ｃが設けられたものとなっており、これによって跨片部５ｂは、溝状部５ｃをあいだに見込み方向一方側と他方側とに二分割されたものとなっている。
また前記溝状部５ｃの開口は、跨片部５ｂが溝状部５ｃの溝側片部５ｄを越えるよう延出（突出）していて溝開口端縁になる係止片部５ｅが設けられており、これによって溝状部５ｃは、見込み方向の幅（間隔）についてみたときに、溝開口端縁となる係止片部５ｅ間の間隔が溝側片部５ｄ間の間隔よりも幅狭となったＣ型形状（入り口が狭く奥が広い蟻溝形状）をしている。
【００１０】
尚、前記説明では、上側に窓板４、下側にパネル体３が支持される横枠材５について説明したが、上下両側に窓板４を支持する横木（枠材）６についても簡単に説明すると、このものは、図２、３に示すように、枠材６の上下両片部６ｂが前記跨片部５ｂに相当し、該上下両片部６ｂに前記溝状部５ｃに相当する溝状部６ｃが形成されたものとなっている。またこのことは、図２、３に示すように、天井レール２の下側に窓板４が配されるものである場合、天井レール２自体を枠材２として兼用化しており、そのため、天井レール２の下片部２ｂが前記跨片部５ｂに相当し、該下片部２ｂに、溝状部５ｃに相当する跨片部２ｃが形成されたものとなっている。
そして本発明が実施される枠材については、特に横木５、６や天井レール２に兼用化された構成のものに限定されることはなく、例えば図３に示す他の実施の形態のように、最下端の開口部Ｓに窓板４を支持するものである場合に、床レール１２に、別部材として専用の枠材１４を設けたものとしても実施することができる。これらの場合に、１４ｂは横枠材５の跨片部５ｃに相当し、１４ｃは横枠材５の溝状部５ｃに相当したものとなるよう形成されている。
このように本発明を実施するための枠材としては、前記横木５、６や天井レール２に形成された兼用タイプのものや、床レール１２や支柱１３に別部材として設けられた専用タイプのものの何れであってもよく、本発明はこれらの構成に限定されるものでないことは言うまでもない。
【００１１】
７は先付け部材として横枠材５に取付けられる第一支持部材であって、該第一支持部材７は、四角筒形状（フォロー状）になった本体部７ａを備えているが、該本体部７ａの見付け方向外側（横枠材５側）の片部（外側片部）７ｂを前記横枠材５の跨片部５ｂにおける見込み方向一方側の片部に当てがう（当接する）状態で取付けられるようになっている。さらに本体部７ａの見込み方向他方側（窓板４側）の片部（他方側片部）７ｄには、開口部内方側のコーナー部位に位置する状態で、窓板４の見込み方向一方側の板面部に弾圧状に当接して支持するための支持片７ｃが襞状に延出形成されている。
因みに第一支持部材７は、樹脂材により成形されたものであるが、その場合に、支持片７ｃ以外の部位については形状維持を図る必要性から硬質状に、支持片７ｃ部位については弾性状の支持を図る必要性から軟質状に成形された硬軟異なったものになっている。このような硬軟異なった状態で樹脂成形されることについては、後述する第二支持部材８、第四支持部材１７、さらには第三の実施の形態の第三支持部材１６についても、支持片８ｆ、支持片１７ｇ、支持片１６ｑ部位が軟質状で、他の部位が硬質状となるように形成されていることは同様である。
【００１２】
また第一支持部材７の前記他方側片部７ｄからは、窓板４の支持位置を越える状態で見込み方向他方側に延長（延出）する延長部７ｅが設けられているが、該延長部７ｅの、後述する第二支持部材８に対応する部位は、見付け方向外側に向けて凹み、開口部Ｓの内方側が開口した凹陥状の嵌合溝部７ｆが形成されている。そして該嵌合溝部７ｆは、前記溝状部５ｃの形状と同様、開口端縁が嵌合溝部７ｆの溝側片部７ｇを越えて対する見込み端方向に向けて延出（突出）した係止片部７ｈが設けられており、これによって嵌合溝部７ｆは、見込み方向の幅（間隔）について、係止片部７ｈ間の間隔が溝側片部７ｇ間の間隔よりも幅狭となったＣ型形状（蟻溝形状）をしている。そして第一支持部材７を横枠材５の先付けした場合に、嵌合溝部７ｆの溝底片部７ｉが枠材跨片部５ｂの見込み方向他方側の片部に面接触するように設定されている。
【００１３】
さらに第一支持部材７には、本体部７ａの前記外側片部７ｂと他方側片部７ｄとのコーナー部、及び嵌合溝部７ｆの見込み方向一方側の溝底側コーナー部からは、見付け方向外側に向けて前後一対の係止脚片部７ｊが延出形成されている。そして第一支持部材７は、該係止脚片部７ｊを横枠材５の溝状部５ｃに対して開口部Ｓの内方側から見付け方向外側に向けて嵌入することで、係止脚片部７ｊに設けた係止爪７ｋが横枠材５の係止片部５ｅに無理嵌め状に嵌入して抜止め係止状態になって横枠材５に対する第一支持部材７の抜止め状の取付けがなされるようになっており、この取付け状態では、溝状部５ｃを挟む状態で見込み方向両側において、第一支持部材７の外側片部７ｂと溝底片部７ｉが、横枠材５の跨片部５ｂにそれぞれ面接触状態で当接するようになっている。
【００１４】
一方、８は窓板４の見込み方向他方側の板面部を支持するため後付け部材として設けられる第二支持部材であって、該第二支持部材８は、開口部Ｓの見付け方向内方側面部が溝底片部８ａとなり、該溝底片部８ａの見込み方向両端縁部から見付け方向外方側に向けて溝側片部８ｂが延設されることにより凹溝状に形成され、該溝側片部８ｂの開口側となる見付け方向外方側端縁には、見込み方向互いに対向する側に向けて延出する外方側片部８ｃが形成され、該外方側片部８ｃの互いに対向する内端縁部からは、係止爪８ｅを備えた係止脚片部８ｄが延設されている。
【００１５】
そして前記第二支持部材８は、係止脚片部８ｄを第一支持部材７の嵌合溝部７ｆに対して開口部Ｓの内方側から見付け方向外側に向けて嵌入することで、係止脚片部８ｄに設けた係止爪８ｅが嵌合溝部７ｆの係止片部７ｈに無理嵌め状に嵌入して抜止め係止状態になり、これによって第一支持部材７の係止片部７ｈが係止爪８ｅと開口側片部８ｃとのあいだに形成される係止溝部に嵌入した状態になって第二支持部材８の第一支持部材７に対する抜止め状の取付けがなされるようになっている。
このようにして取付けられた第二支持部材８には、溝底片部８ａの見込み方向一方側の端縁部から延出していて、窓板横端縁部４ａの見込み方向他方側の板面部に弾圧状に当接して支持するための支持片８ｆが襞状に延設されている。
【００１６】
次に窓板４の左右縦端縁部４ｂを、第三、第四支持部材１６、１７を介して支柱１３（以降「縦枠材１３」と称する。）に支持する構成について説明をする。
まず本実施の形態において、縦枠材１３は、四角筒形状をしたものであって、窓板４が設けられる側の面部は、見込み方向両コーナー部から傾斜状に設けられる溝側片部１３ｂと、該溝側片部１３ｂ同士を連結する溝底片部１３ｃとで形成される凹溝部１３ａが設けられるが、両溝側片部１３ｂの開口端縁部には、見込み方向内方に向けて支持片部１３ｄが設けられることで、開口端縁部が幅狭になった凹溝部１３ａはＣ型形状（蟻溝形状）になっており、該凹溝部１３ａには、必要において前記パネル体３が嵌入組込みされる構成になっている。因みに凹溝部１３ａは、溝深さが浅いものとなっていて、深くした場合において支持片部１３ｄが大きく片持ち状にならないようにして縦枠材１３の強度を損なうことがないよう配慮されている。
【００１７】
一方、前記第三支持部材１６は、本実施の形態では縦枠材１３の凹溝部１３ａに嵌入組込みされる基材部１６ａと、該基材部１６ａに取付けられる本体部１６ｂとを備えた分割型で構成されるが、基材部１６ａは、見込み方向中央部にＣ型形状（蟻溝形状）をし、溝底片部１６ｄが前記縦枠材１３の溝底片部１３ｃに当接する状態で凹溝部１３ａに嵌入組込みされる溝状部１６ｃを有すると共に、溝状部１６ｃの開口端縁部から見込み方向両外側方に向けて延出された延出片部１６ｅは、溝底片部１６ｄが縦枠材１３の溝底片部１３ｃに当接する状態で支持片部１３ｄと面一状になるよう設定されているが、延出片部１６ｅの見込み方向の先端縁部１６ｆは、支持片部１３ｄの先端に形成された段差状部１３ｅに対して開口部Ｓの内方側から見付け方向外側に向けて係止状に当接するようになっている。さらに延出片部１６ｅには、段差状部１３ｅの先端縁に当接（または近接）する状態で凹溝部１３ａに内嵌する脚片部１６ｇが設けられている。尚、脚片部１６ｇに、段差状部１３ｅの先端縁に無理嵌め状に嵌入して該先端縁に抜止め係止する係止爪（第一支持部材７に設けた係止爪７ｋと同様の機能を持つもの）を設けたものとしても実施することができる。
【００１８】
これに対し本体部１６ｂは、前記基材部１６ａの延出片部１６ｅに当接する見込み方向一対の本体片部１６ｈと、該一対の本体片部１６ｈ間に形成されていて、前記溝状部１６ｃに嵌入する溝状部１６ｉと、両本体片部１６ｈの見込み方向外端縁部から開口部Ｓの内方側に向けて突出された突出片部１６ｊと、該突出片部１６ｊに対して見込み方向内側に位置する状態で間隙を存して対向するよう本体片部１６ｈから開口部Ｓの内方側に向けて延出された延出片部１６ｋとを備えて構成されている。
さらに第三支持部材１６は、基材部脚片部１６ｇを縦枠材１３の凹溝部１３ａに嵌入させ、本体部溝状部１６ｉを基材部溝状部１６ｃに嵌入させた状態で、ビス９を本体部溝状部１６ｉの溝底部から基材部溝状部１６ｃの溝底部を経て縦枠材１３の溝底片部１３ｃに螺入することで、基材部１６ａと共に縦枠材１３に取付けられるようになっている。
そして本実施の形態においては、第三支持部材１６の構成部材の一つである本体部１６ｂに、本体片部１６ｈ、溝状部１６ｉを溝底部とし、突出片部１６ｊを溝側片部とする状態で本発明の凹溝状部１６ｌを備えたものなっているが、そのため突出片部１６ｊは、窓板４の縦端縁部４ｂ部位の板面部に対し、見込み方向外側方に間隙Ｗを存する状態で対向するよう先端縁１６ｍが窓板４の縦端縁部４ｂの端縁よりも開口部Ｓの見付け方向内方側に向けて長く突出しており、これによって窓板４の縦端縁部４ｂ部位は、板面部が突出片部１６ｊに対して間隙Ｗを存する状態で前記凹溝状部１６ｌに遊嵌するようになっている。
【００１９】
さらに本体部１６ｂには、前記突出片部１６ｊの見付け方向中間部と延出片部１６ｋの先端縁部との対向面部には係止突部１６ｎがそれぞれ形成されており、これによって突出片部１６ｊと延出片部１６ｋとのあいだには、開口端部が幅狭となったＣ型形状（蟻溝形状）をした凹溝部１６ｏが形成されている。
【００２０】
一方、前記第四支持部材１７は、前記第二支持部材８と略同様の形状をしているものであって、第二支持部材８と同様、見付け方向外方側が開口した凹溝形状をし、見付け方向内方側の溝底片部１７ａと、該溝底片部１７ａから見付け方向外方側に向けて形成される見込み方向両側の溝側片部１７ｂ、１７ｃと、外方側片部１７ｄ溝側片部１７ｂ、１７ｃから見込み方向内方側（互いに対向する側）に向けて設けられる係止脚片部１７ｅ、係止脚片部１７ｅに設けられる係止爪１７ｆ、窓板の板面部に弾圧状に当接支持をする支持片１７ｇを備えて構成されるが、さらに本実施の形態のものでは、見込み方向両側に設けられる溝側片部１７ｃ、１７ｄのうち、見込み方向外側の溝底片部１７ｄには、溝底片部１７ａとのコーナー部位に位置する状態で係止溝１７ｈが形成されている。
そして第四支持部材１７は、窓板４における縦端縁部４ｂの板面部と、突出片部１６ｊとのあいだの間隙Ｗに嵌入するようにして、係止脚片部１７ｅを本体部１６ｂの凹溝部１６ｏに対して開口部Ｓの内方側から見付け方向外側に向けて嵌入することで、係止脚片部１７ｅに設けた係止爪１７ｆが凹溝部１６ｏの係止凸部１６ｎに無理嵌め状に嵌入して抜止め係止状態になり、これによって第三支持部材１６の係止凸部１６ｎが、係止爪１７ｆと開口側片部１７ｄとのあいだに形成される溝状部に嵌入した状態になって第四支持部材１７の第三支持部材１６に対する抜止め状の取付けがなされるようになっているが、さらに本実施の形態では、第三支持部材１６における突出片部１６ｊの先端部に設けた係止凸部１６ｐが第四支持部材１７の溝側片部１７ｃに設けた係止溝１７ｈに係止することになり、これによって第四支持部材１７の第三支持部材１６に対する第二の抜止め状の取付けが、前記突出片部１６ｊを有効に利用してなされるようになっている。
【００２１】
叙述の如く構成された本実施の形態において、窓板４を開口部Ｓに取付け支持するには、第一支持部材７を横枠材５、６に、第三支持部材１６を縦枠材１３にそれぞれ取付け支持した状態で、窓板４を、横端縁部４ａの板面部が第一支持部材７の支持片７ｃに対向させる状態で、縦端縁部４ｂ部位の板面部を、左右に対向する突出片部１６ｊ間の間隙に対して左右方向に行って来いの往復移動（倹飩移動）をさせることで遊嵌して支持片７ｃに前記横端縁部４ａの板面部を当接する状態にし、しかる後、第二支持部材８を第一支持部材７に取付ける一方、第四支持部材１７を、突出片部１６ｊと窓板４とのあいだの間隙Ｗに嵌入する状態で第三支持部材１６に取付け支持することで窓板４の取付け支持がなされることになる。
【００２２】
この場合に、本実施の形態では、突出片部１６ｊと窓板４とのあいだに設けられる間隙Ｗは、第二支持部材８による支持側だけでなく、第一支持部材７による支持側にも設けられたものであるため、該側においても第四支持部材１７による支持をする必要があるが、この第四支持部材１７の取付けについては、第一支持部材７による窓板４の当接支持ができるため、窓板４を、前記行って来いの往復移動をして遊嵌する行程の前後の何れの工程であっても実施することができる。
因みに、前記「行って来い」の往復移動をすることで窓板４を取付けた場合に、該窓板４の往復移動方向の両端縁部は、第三支持部材１６の凹溝状部１６ｅの溝底片１６ｑにまでは至らない中間位置（ビス９にも当接しない位置）に位置する遊端状態でセットされることになるが、このような状態になるよう窓板４を取付け作業する場合、例えば見込み方向一方側において第四支持部材１７が取付けられてはいるが他方側の第四支持部材１７が取付けられる前の段階で、該他方側から目視される第三支持部材１６の延出片部１６ｋの先端に設けた係止突部１６ｎを凡その目安として窓板４の一方の端縁部の位置決めをするようセットすることで、窓板４の該両端縁部が遊端状態になる適正位置でのセットが簡単にできることになる。
【００２３】
このように本発明が実施されたものにあっては、窓板４は、縦横端縁部４ｂ、４ａが縦横枠材５、６、１３の内周縁部よりも開口部Ｓの内方側に位置していて組付けやすいものでありながら、そのうちの縦端縁部４ｂは、縦端縁部４ｂよりも開口部Ｓの内方側に突出する状態で設けられた第三支持部材１６に遊嵌する状態で組み込まれることになる結果、窓板４に対し、第一支持部材７による支持側から第二支持部材８による支持側に向けての負荷（見込み方向第二支持部材８側に向けての負荷）が働いた場合に、後付けされた第四支持部材１７は、該側に設けられる第三支持部材１６の突出片部１６ｊに受止め支持されることになって、弛んだり外れたりすることが回避され、このため、窓板４の支持が確実になって不用意に振動したり外れたりすることを回避できることになる。
【００２４】
しかもこの場合に、第四支持部材１７は、見込み方向の移動ではなく、開口部Ｓの内方側へ移動することで抜け出ることになるが、この移動は、第四支持部材１７の係止脚片部１７ｅに設けた係止爪１７ｆが係止突部１６ｎに係止することによる抜止めがなされることになって、確実な第四支持片部１７の抜止めがなされるが、さらにこの第四支持部材１７の抜止め機能に加えて、前記第四支持部材１７を受止め支持する突出片部１６ｊに設けた係止凸部１６ｐが第四支持部材１７に設けた係止溝１７ｈに係止することによっての抜止めもなされる結果、第四支持部材１７の抜止めを、前記突出片部１６ｊを有効に利用してさらにできることになってより確実なものにすることを、部材の兼用化を図りながら実施することができる。
【００２５】
尚、本発明は前記実施の形態に限定されるものでないことは勿論であって、例えば、図９に示す第二の実施の形態のように、縦枠材１３について、凹溝部１３ａのない平滑状の面部１３ｆについても本発明を実施することができるが、この場合に、第三支持部材１６を取付けるため補助部材１９を前記面部１３ｆに取付けた構成にしている。さらに本実施の形態では、第三支持部材１６について、基材部１６ａと本体部１６ｂとが一体化されたものとして実施されており、このようにしても本発明を実施することができ、この場合には部品点数を低減できると共に取付け作業の簡略化も図れるという利点がある。
さらには図１０に示す第三の実施の形態のように、第一支持部材７により板材４を支持する側（支持片７ｃが設けられる側）については、突出片部１６ｊに同様の支持片１６ｑが設けられた構成として隙間Ｗがないものとしても実施することができ、この場合では、第四支持部材１７は、第二支持部材８による窓板４の支持と同じ側に第四支持部材１７が設けられたものとなることは言うまでもない。
尚、図中、２０は第一、第三支持部材７、１６のコーナー部同士を連結する状態で縦横枠１３、５、６にビス９で固定するためのコーナー金具である。
【００２６】
さらに本発明は、図１１、１２に示す第四の実施の形態のようにしても実施することができる。このものは、第三、第四支持部材については前記実施の形態のものと同じ構成にしているのでその説明は省略するが、後述する第一、第二支持部材２４、２５については、前記実施の形態のものとは異なり、同一形状のものとし、そして横枠材５に第五支持部材２３を取付けている。
この場合に、第五支持部材２３は、窓板４の支持位置を越えて見込み方向両側に至るもの、換言すれば、窓板４の支持位置を見込み方向の中心として、見込み方向両側に亘る幅を有したものとして構成され、そして該見込み方向両側に、前記第一の実施の形態において、第一支持部材７の見込み方向他側半部（第二支持部材８が取付けられる側）と同様の構造をしている。
つまり第五支持部材２３には、見付け方向両側位置において開口部Ｓの内方側が開口した凹陥状の嵌合溝部２３ｆがそれぞれ形成されているが、各嵌合溝部２３ｆは、見込み方向両側の溝側片部２３ｇと、該各溝側片部２３ｇの先端縁から互いに対向するよう見込み端方向に向けて延出（突出）した係止片部２３ｈと、嵌合溝部２３ｆの溝底を構成すべく両溝底片部２３ｆの底端部同士が連結された溝底片部２３ｉとを備えて構成され、これによって各嵌合溝部２３ｆは、互いに見込み方向に対向する係止片部２３ｈ間の間隔が溝側片部２３ｇ間の間隔よりも幅狭となったＣ型形状（蟻溝形状）をしている。そして第五支持部材２３を横枠材５に先付けした場合に、嵌合溝部２３ｆの溝底片部２３ｉが枠材跨片部５ｂに面接触するように設定されている。
尚、第五支持部材２３において、２３ｅは、前記第一支持部材７の延長部７ｅに相当するものであって、両側の嵌合溝部２３ｆ同士を連結すると共に、窓板４が当接（または近接）する連結片部である。
また、２３ｊ、２３ｋは、第一支持部材７の係止脚片部７ｊ、係止爪７ｋに相当する係止脚片部、係止爪であって、本実施の形態でも第一支持部材７と同様にして、横枠材５に第五支持部材２３を取付けた場合に、係止脚片部２３ｊが横枠材５の溝状部５ｃに嵌入し、そして係止爪２３ｋが横枠材５の係止片部５ｅに無理嵌め状に嵌入して抜止め係止する構成になっている。
【００２７】
一方、互いに同一形状をした第一、第二支持部材２４、２５は、本実施の形態においては、第一の実施の形態の第二支持部材８と同一形状のものを採用しており、このため、溝底片部２４ａ、２５ａ、溝側片部２４ｂ、２５ｂ、外方側片部２４ｃ、２５ｃ、係止脚片部２４ｄ、２５ｄ、係止爪２４ｅ、２５ｅ、支持片２４ｆ、２５ｆを備えて構成され、係止脚片部２４ｄ、２５ｄを第五支持部材２３の嵌合溝部２３ｆに対して開口部Ｓの内方側から見付け方向外側に向けて嵌入することで、係止爪２４ｅ、２５ｅが嵌合溝部２３ｆの係止片部２３ｈに無理嵌め状に嵌入して抜止め係止状態になり、これによって第一、第二支持部材２４、２５の支持片２４ｆ、２５ｆが窓板４を見込み方向両側から弾圧状に支持するようになっている。
そしてこのように構成することにより、間仕切り１の見込み方向何れか一方側に家具等の部材が近接配置されていて、該一方側からは第一、または第二支持部材２４、２５を取外せない場合においては、他方側から第二、または第一支持部材２５、２４を取外すことができ、メンテナンス性が損なわれることがない。
【産業上の利用可能性】
【００２８】
本発明は、建物に設けられるドア（扉、戸）や間仕切り等の板状体に形成される開口部に窓板等の板材を取付け支持する構造として利用できる。
【符号の説明】
【００２９】
１  間仕切り
４  窓板
４ａ  横端縁部
４ｂ  縦端縁部
５  横枠材
７  第一支持部材
７ｃ  支持片
８  第二支持部材
８ｆ  支持片
１３  縦枠材
１６  第三支持部材
１６ｊ  突出片部
１６ｐ  係止凸部
１７  第四支持部材
１７ｇ  支持片
１７ｈ  係止溝
Ｗ  間隙
【図１】
2020094471.tif 000003
【図２】
2020094471.tif 000004
【図３】
2020094471.tif 000005
【図４】
2020094471.tif 000006
【図５】
2020094471.tif 000007
【図６】
2020094471.tif 000008
【図７】
2020094471.tif 000009
【図８】
2020094471.tif 000010
【図９】
2020094471.tif 000011
【図１０】
2020094471.tif 000012
【図１１】
2020094471.tif 000013
【図１２】
2020094471.tif 000014